(57)【要約】【課題】  搭載したカメラにより人物・風景等の離隔した対象を撮影するとともに、前記カメラの透明カバーに指を押接させて指紋の撮影をも行う。【解決手段】  透明カバー１１１と、撮像デバイス１１２と、固定レンズ１１３と、透明カバーの裏面側から当該透明カバーの表面に光を照射する光源１１４と、固定レンズと複合して透明カバーの表面を撮影する焦点を有する可動レンズ１１５と、可動レンズを固定レンズの撮影光光路に入らない第１位置、可動レンズを当該可動レンズの光軸が前記固定レンズの光軸と重なる第２位置の何れかにセットする可動レンズ移動機構１１６とを有するカメラを備える。【選択図】    図１
2006222810.tif 000002
【特許請求の範囲】
【請求項１】
透明カバーと、
撮像デバイスと、
前記透明カバーと前記撮像デバイスとの間に配置され、遠方を撮影する焦点を有する固定レンズと、
前記透明カバーの端部の厚み部分から当該透明カバーの内部に光を注入する光源、または、前記透明カバーの裏面側から当該透明カバーの表面に光を照射する光源と、
前記透明カバーと前記固定レンズとの間、または前記固定レンズと前記撮像デバイスとの間に配置され、前記固定レンズと複合して前記透明カバーの表面を撮影する焦点を有する可動レンズと、
前記可動レンズを前記固定レンズの撮影光光路に入らない第１位置、前記可動レンズを当該可動レンズの光軸が前記固定レンズの光軸と重なる第２位置の何れかにセットする可動レンズ移動機構と、
を有するカメラ、
を備えたことを特徴とするカメラ付き携帯型電話機。
【請求項２】
前記可動レンズ移動機構を制御する可動レンズ移動機構制御装置、および、
撮像モードとして、通常撮影モードと指紋読取りモードとの何れかを選択する前記撮像モード切替えスイッチ、
をさらに備え、
前記可動レンズ移動機構制御装置は、
前記撮像モード切替えスイッチにより前記通常撮影モードが選択されているときは、前記可動レンズが前記第１位置にセットされるように前記可動レンズ移動機構を制御し、
前記撮像モード切替えスイッチにより前記指紋読取りモードが選択されているときは、前記可動レンズが前記第２位置にセットされるように前記可動レンズ移動機構を制御する、
ことを特徴とする請求項１に記載のカメラ付き携帯型電話機。
【請求項３】
前記光源は、前記透明カバーの下面側または前記透明カバーの側端肉厚部に配置され、前記透明カバーの表面において出射光を全反射させることを特徴とする請求項１または２に記載のカメラ付き携帯型電話機。
【発明の詳細な説明】
【技術分野】
【０００１】
本発明は、搭載したカメラにより人物・風景等の離隔した対象を撮影するとともに、前記カメラの透明カバーに指を押接させて指紋の撮影をも行うことができるカメラ付き携帯型電話機に関する。
【背景技術】
【０００２】
近年、携帯型電話機は小型化する一方で多機能化しており、電子手帳としての機能やインターネットに接続する機能が標準搭載されるようになっている。また、風景・人物等を撮影するためのカメラ（以下、「通常のカメラ」とも言う）が付属した携帯型電話機も一般化しつつある。
【０００３】
さらに、携帯型電話機には、クレジットカード，銀行カード等の有価カードに代替する機能が搭載されたものも提供されるようになっている。たとえば、コンビニエンスストアでの品物の購入等を行うことができる機能が搭載されたものも提供されるようになっている。この種の携帯型電話機の多くには、本人認証を行うための指紋読取り装置が搭載される。
【発明の開示】
【発明が解決しようとする課題】
【０００４】
ところで、携帯型電話機に通常のカメラおよび指紋読取り装置の双方を搭載する場合、これらの搭載領域を別々に確保しなくてはならないために、携帯型電話機の小型化に制限を生じる。
本発明はこのような問題を解決するために提案されたものであって、携帯型電話機に通常のカメラと指紋読取り装置とを併用することで小型化を図ることができるカメラ付き携帯型電話機を提供することを目的とする。
【課題を解決するための手段】
【０００５】
本発明のカメラ付き携帯型電話機は、（１）透明カバーと、（２）撮像デバイスと、（３）前記透明カバーと前記撮像デバイスとの間に配置され、遠方を撮影する焦点を有する固定レンズと、（４）前記透明カバーの端部の厚み部分から当該透明カバーの内部に光を注入する光源、または、前記透明カバーの裏面側から当該透明カバーの表面に光を照射する光源と、（５）前記透明カバーと前記固定レンズとの間、または前記固定レンズと前記撮像デバイスとの間に配置され、前記固定レンズと複合して前記透明カバーの表面を撮影する焦点を有する可動レンズと、（６）前記可動レンズを前記固定レンズの撮影光光路に入らない第１位置、前記可動レンズを当該可動レンズの光軸が前記固定レンズの光軸と重なる第２位置の何れかにセットする可動レンズ移動機構とを有するカメラ、を備えたことを特徴とする。
【０００６】
カメラ付き携帯型電話機は、前記可動レンズ移動機構を制御する可動レンズ移動機構制御装置、および、撮像モードとして、通常撮影モードと指紋読取りモードとの何れかを選択する前記撮像モード切替えスイッチをさらに備え、前記可動レンズ移動機構制御装置は、（ａ）前記撮像モード切替えスイッチにより前記通常撮影モードが選択されているときは、前記可動レンズが前記第１位置にセットされるように前記可動レンズ移動機構を制御し、（ｂ）前記撮像モード切替えスイッチにより前記指紋読取りモードが選択されているときは、前記可動レンズが前記第２位置にセットされるように前記可動レンズ移動機構を制御する、ことをができる。
【０００７】
本発明のカメラ付き携帯型電話機では、前記光源は、前記透明カバーの下面側または前記透明カバーの側端肉厚部に配置され、前記透明カバーの表面において出射光を全反射させることができる。
【０００８】
本発明のカメラ付き携帯型電話機は、前記指紋読取りモードにおいて撮像された指紋を登録した指紋として記憶する登録指紋記憶部と、
前記登録指紋記憶部に指紋が登録された後に、前記指紋読取りモードにおいて撮像された指紋と前記登録指紋記憶部に登録した指紋とを比較する指紋比較手段と、
前記指紋比較手段が、前記指紋読取りモードにおいて撮像された指紋と前記登録指紋記憶部に登録した指紋とが同一でないと判断したときは、前記指紋読取りモードにおける前記携帯型電話機の機能に所定の制限を加え、
前記指紋比較手段が、前記指紋読取りモードにおいて撮影された指紋と前記登録指紋記憶部に登録した指紋とが同一であると判断したときは、前記指紋読取りモードにおける前記携帯型電話機の機能に前記所定の制限を加えない、
機能制限手段と、
を有するように構成できる。
【発明の効果】
【０００９】
本発明のカメラ付き携帯型電話機では、指紋読取りに際し、可動レンズ移動機構が、可動レンズを当該可動レンズの光軸が固定レンズの光軸と重なる位置にセットされる。これにより、通常のカメラと指紋読取り装置とで、固定レンズおよび撮像デバイス等の構成要素を共通化でき、したがって指紋読取り機能を備えたカメラ付き携帯型電話機の小型化が可能となる。
【発明を実施するための最良の形態】
【００１０】
図１（Ａ）はフリップタイプのカメラ付きの携帯型電話機１を開いた状態を示す図、図１（Ｂ）は携帯型電話機１を折り畳んだ状態を示す図である。
【００１１】
本実施形態では、携帯型電話機１は、ディスプレイ搭載部１Ａと操作装置搭載部１Ｂとからなり、ディスプレイ搭載部１Ａの外面側（ディスプレイDが搭載されていない側）にカメラ１１、モード切換え用スライダＳおよびシャッタボタンＢが設けられ、操作装置１３（キーやボタン）が操作装置搭載部１Ｂの内面側に設けられている。シャッタボタンＢは、指紋撮影用に使用すされるとともに、カメラ１１を通常使用するときの撮影用に使用される。なお、シャッタボタンＢを指紋撮影専用に使用する場合には、カメラ１１を通常のカメラとして使用するときのシャッタボタンは別途設けられ、あるいは操作装置搭載部１Ｂ上の適宜のキーに割り当てられる。
【００１２】
図２は、携帯型電話機１の機能ブロック図である。図２において、携帯型電話機１は、カメラ１１と、制御装置１２と、操作装置１３とを備えている。
【００１３】
図３（Ａ），（Ｂ），（Ｃ）はカメラの第１例を示す拡大説明図であり、（Ａ）はレンズ部分の外観図、（Ｂ）は通常撮影モードにおけるカメラ１１の状態を示す図、（Ｃ）は指紋撮影モードにおけるカメラ１１の状態を示す図である。
【００１４】
図３（Ｂ），（Ｃ）に示すようにカメラ１１は、透明カバー１１１と、撮像デバイス１１２と、固定レンズ１１３と、光源１１４と、可動レンズ１１５と、可動レンズ移動機構１１６とを有している。
【００１５】
透明カバー１１１は、ディスプレイ搭載部１Ａの筐体Ｋに取り付けられており、図３（Ａ）に示すように円形のプラスチックまたはガラスにより構成される。
撮像デバイス１１２は、ＣＣＤ，ＣＭＯＳ等の半導体撮像素子である。撮像デバイス１１２は、シャッタボタンＢを押すことで撮像動作する。
【００１６】
固定レンズ１１３は、透明カバー１１１と撮像デバイス１１２との間に配置されている。
光源１１４は、透明カバー１１１の裏面側から当該透明カバー１１１の表面に向けて光を照射するＬＥＤであり、本実施形態では透明カバー１１１の下面に複数（本実施形態では２つ）設けられている。光源１１４は、本実施形態では、撮影動作と同期してオン・オフする。すなわち、シャッタボタンＢが押されると同時にオンし、瞬時経過後にオフする。
【００１７】
可動レンズ１１５は、透明カバー１１１と固定レンズ１１３との間に配置することもできる。可動レンズ１１５は、固定レンズ１１３と複合して透明カバー１１１の表面を撮影する焦点を有している。
【００１８】
図４（Ａ），（Ｂ），（Ｃ）は、可動レンズ移動機構１１６を示す図であり、（Ａ）は平面図，（Ｂ）は正面図，（Ｃ）は側面図（（Ａ）におけるｘ−ｘ断面図）である。示すように、ガイド１１６１と、レンズ保持部１１６２とスライドピン１１６３とを備えている。スライドピン１１６３は、図１（Ｂ）に示すモード切換え用スライダＳに連結されており、モード切換え用スライダＳを操作することで、可動レンズ１１５を固定レンズ１１３の撮影光光路に入らない第１位置Ｐ１、または可動レンズ１１５をその光軸Ｌ２が固定レンズ１１３の光軸Ｌ１と重なる第２位置Ｐ２の何れかにセットすることができる。なお、可動レンズ移動機構１１６は、図３（Ｂ），（Ｃ）ではスプリング等により動作させることもできる。
【００１９】
図２に示した制御装置１２は、カメラ付き携帯型電話機１の全体を制御するもので、本発明の可動レンズ移動機構制御装置としても機能する。制御部１２は、ＣＰＵ１２１と、ＲＯＭ１２２と、ＲＡＭ１２３と、通話装置１２４と、ネットワーク接続装置１２５とを含んで構成されている。なお、本発明とは無関係な構成要素は記載を省略してある。
【００２０】
ＲＯＭ１２２は、本実施形態では、ＣＭＯＳ等の書き換え可能なメモリである。ＲＯＭ１２２の所定領域が登録指紋記憶部して機能する。ＲＯＭ１２２は、所定記憶領域（登録指紋記憶部）に指紋が登録された後に、指紋読取りモードにおいて撮影された指紋と所定記憶領域（登録指紋記憶部）に登録した指紋とを比較する指紋比較プログラムが格納されている。この指紋比較プログラムと、当該プログラムを実行するＣＰＵ１２１とが、指紋比較手段を構成する。
【００２１】
ＲＯＭ１２２には、機能制限プログラムが格納されている。この機能制限プログラムと、当該プログラムを実行するＣＰＵ１２１とが、機能制限手段を構成する。機能制限プログラム（機能制限手段）は、指紋比較プログラム（指紋比較手段）が、指紋読取りモードにおいて撮影された指紋と前記所定記憶領域（登録指紋記憶部）に登録した指紋とが同一でないと判断したときは、前記指紋読取りモードにおける前記携帯型電話機の機能に所定の制限を加える。この制限は、具体的には電源ボタンおよびタッチスイッチ（透明カバー１１１）以外の、キーやボタンの操作を無効とすることである。
【００２２】
また、機能制限プログラム（機能制限手段）は、指紋比較プログラム（指紋比較手段）が、指紋読取りモードにおいて撮影された指紋と所定記憶領域（登録指紋記憶部）に登録した指紋とが同一であると判断したときは、指紋読取りモードにおける携帯型電話機１の機能に所定の制限を加えない。
【００２３】
ＲＡＭ１２３には、指紋読取りモードにおいて撮影された指紋が記憶される。通常、電源バックアップされている。
ネットワーク接続装置１２５は、ＲＯＭ１２２に格納された通信プログラム（ウェブブラウザプログラム等のアプリケーションを含む）と協働して、本発明のインターネット接続手段および指紋情報転送手段として機能することができる。ネットワーク接続装置１２５は、指紋情報転送手段として機能するときは、カメラ１１により撮影した指紋画像または当該指紋画像から作成されるコードをインターネットを介して所定の送信先に転送することができる。
【００２４】
操作装置１３は、ディスプレイ搭載部１Ａ側に設けたシャッタボタンＢ、操作装置搭載部１Ｂ側に設けたキー・ボタン群（図１（Ａ）参照）とを備えている。キー・ボタン群は、テンキー，シーソーキー，電源ボタン等，ダイヤリングボタン，通信切断ボタン等からなる。
【００２５】
以下、カメラ１を搭載した携帯型電話機１の動作を説明する。
モード切換え用スライダＳにより通常撮影モードが選択されているとき（図３（Ｂ）参照）は、可動レンズ１１３が第１位置Ｐ１にセットされる。通常撮影モードでは光源１１４はオフとされる。
【００２６】
一方、モード切換え用スライダＳにより指紋読取りモードが選択されているとき（図３（Ｃ）参照）は、可動レンズ１１３が第２位置Ｐ２にセットされる。このときシャッタボタンＢが押されると、光源１１４がオンし撮像デバイス１１２により指紋画像が撮影される。光源１１４からの光は、図５に示すように、指紋（指紋表面部分を符号Ｆで示す）が押接されている部分では乱反射（乱反射光をＱ１で示す）し、押接されていない部分では全反射する（全反射光をＱ２で示す）。したがって、撮像デバイス１１２は、指紋を「黒」で検出する。
【００２７】
図６（Ａ），（Ｂ），（Ｃ）はカメラの第２例を示す拡大説明図であり、（Ａ）はレンズ部分の外観図、（Ｂ）は通常撮影モードにおけるカメラ２１の状態を示す図、（Ｃ）は指紋撮影モードにおけるカメラ２１の状態を示す図である。
図６（Ｂ），（Ｃ）に示すようにカメラ１１は、透明カバー２１１と、撮像デバイス２１２と、固定レンズ２１３と、光源２１４と、可動レンズ２１５と、可動レンズ移動機構２１６とを有している。
【００２８】
透明カバー２１１は、ディスプレイ搭載部２Ａの筐体Ｋに取り付けられていること、図６（Ａ）に示すように円形のプラスチックまたはガラスにより構成されていることは第１例と同じであるが、透明カバー２１１の厚み等の具体構成が第１例の透明カバー１１１と異なる。
【００２９】
撮像デバイス２１２は、第１例で説明した撮像デバイス１１２と同じであり、ＣＣＤ，ＣＭＯＳ等の半導体撮像素子である。撮像デバイス１１２は、シャッタボタンＢを押すことで撮像動作する。
【００３０】
固定レンズ２１３は、第１例の固定レンズ１１３と同様、透明カバー２１１と撮像デバイス２１２との間に配置されている。
光源２１４は、透明カバー２１１の側端肉厚部に配置され、透明カバーの表面に向けて（肉厚内部において光）を照射するＬＥＤである。本実施形態では透明カバー２１１の下面に複数（本実施形態では２つ）設けられている。光源２１４は、第１例と同様、撮影動作と同期してオン・オフする。
【００３１】
可動レンズ２１５は、第２例でも、透明カバー２１１と固定レンズ２１３との間に配置することもできる。また、第２例でも可動レンズ２１５は、固定レンズ２１３と複合して透明カバー２１１の表面を撮影する焦点を有している。
【００３２】
可動レンズ移動機構２１６は、第１例について説明したものと同様に構成できる（図４（Ａ），（Ｂ），（Ｃ）参照）。第２例でも、第１例と同様、図１のモード切換え用スライダＳを操作することで、可動レンズ２１５を固定レンズ２１３の撮影光光路に入らない第１位置Ｐ１、または可動レンズ２１５をその光軸Ｌ２が固定レンズ２１３の光軸Ｌ１と重なる第２位置Ｐ２の何れかにセットすることができる。
【００３３】
以下、カメラ２を搭載した携帯型電話機１の動作を説明する。
モード切換え用スライダＳにより通常撮影モードが選択されているときは、可動レンズ２１３が第１位置Ｐ１にセットされる。通常撮影モードでは光源２１４はオフとされる（図３（Ｂ）参照）。
一方、モード切換え用スライダＳにより指紋読取りモードが選択されているときは、可動レンズ２１５が第２位置Ｐ２にセットされる。このときシャッタボタンＢが押されると、光源２１４がオンし撮像デバイス２１２により指紋画像が撮影される。光源２１４からの光は、図６に示すように、指紋（指紋表面部分を符号Ｆで示す）が押接されている部分では乱反射（乱反射光をＱ１で示す）し、押接されていない部分では全反射する（全反射光をＱ２で示す）。カメラ２では全反射光Ｑ２は撮像デバイス２２２により検出されないので、撮像デバイス２１２は、指紋を「白」で検出する。
【図面の簡単な説明】
【００３４】
【図１】（Ａ）はフリップタイプのカメラ付きの携帯型電話機を開いた状態を示す図、（Ｂ）は携帯型電話機を折り畳んだ状態を示す図である。
【図２】携帯型電話機の機能ブロック図である。
【図３】カメラの第１例を示す図であり、（Ａ）はレンズ部分の外観図、（Ｂ）は通常撮影モードにおけるカメラの状態を示す図、（Ｃ）は指紋撮影モードにおけるカメラの状態を示す図である。
【図４】可動レンズ移動機構を示す図であり、（Ａ）は平面図，（Ｂ）は正面図，（Ｃ）は側面図（（Ａ）におけるｘ−ｘ断面図）である。
【図５】図３のカメラの動作説明図である。
【図６】カメラの第２例を示す図であり、（Ａ）はレンズ部分の外観図、（Ｂ）は通常撮影モードにおけるカメラの状態を示す図、（Ｃ）は指紋撮影モードにおけるカメラの状態を示す図である。
【図７】図６のカメラの動作説明図である。
【符号の説明】
【００３５】
１  携帯型電話機
１A  ディスプレイ搭載部
１B  操作装置搭載部
１１  カメラ
１２  制御装置
１３  操作装置
１１１，２１１  透明カバー
１１２，２１２  撮像デバイス
１１３，２１３  固定レンズ
１１４，２１４  光源
１１５，２１５  可動レンズ
１１６，２１６  可動レンズ移動機構
１１６１  ガイド
１１６２  レンズ保持部
１１６３  スライドピン
Ｐ１  第１位置
Ｐ２  第２位置
B  シャッタボタン
S  モード切換え用スライダ
【図１】
2006222810.tif 000003
【図２】
2006222810.tif 000004
【図３】
2006222810.tif 000005
【図４】
2006222810.tif 000006
【図５】
2006222810.tif 000007
【図６】
2006222810.tif 000008
【図７】
2006222810.tif 000009